(57)【特許請求の範囲】
【請求項１】
原水である水道水を浄化フィルタに通して浄水とし吐水する浄水装置において、
前記浄化フィルタの交換時期を表すための表示を周方向に沿って施して成る表示リングを隠蔽状態で装着するとともに、該表示リングの外側に表示窓を設けて該表示窓を通じて内側の該表示リングの表示を表すようになし、該表示によって使用者に対し前記浄化フィルタの次回の交換時期を知らせるようになし、
該浄化フィルタは水栓における吐水ヘッドのフィルタ収容室内に内蔵してあって、該フィルタ収容室を内側に形成する該吐水ヘッドの筒体に前記表示リングが装着してある一方、該筒体に対する外嵌部に前記表示窓が設けてあり、
更に前記吐水ヘッドは、吐水ヘッドボデーと吐水口を有する頭部とを有していて、該吐水ヘッドボデーに対し該頭部が脱着可能となしてあって、該頭部の脱着により前記浄化フィルタを交換するようになしてあるとともに、前記筒体の前記表示リングを装着する部分が該吐水ヘッドボデーの側に設けてあって、該部分に該表示リングが装着してある特徴とする浄水装置。
【請求項２】
原水である水道水を浄化フィルタに通して浄水とし吐水する浄水装置において、
前記浄化フィルタの交換時期を表すための表示を周方向に沿って施して成る表示リングを隠蔽状態で装着するとともに、該表示リングの外側に表示窓を設けて該表示窓を通じて内側の該表示リングの表示を表すようになし、該表示によって使用者に対し前記浄化フィルタの次回の交換時期を知らせるようになし、
該浄化フィルタは水栓における吐水ヘッドのフィルタ収容室内に内蔵してあって、該フィルタ収容室を内側に形成する該吐水ヘッドの筒体に前記表示リングが装着してある一方、該筒体に対する外嵌部に前記表示窓が設けてあり、
更に前記吐水ヘッドは、吐水ヘッドボデーと吐水口を有する頭部とを有していて、該吐水ヘッドボデーに対し該頭部が脱着可能となしてあって、該頭部の脱着により前記浄化フィルタを交換するようになしてあるとともに、前記筒体の前記表示リングを装着する部分が該頭部と吐水ヘッドボデーとの脱着部に設けてあり、該部分に該表示リングが、該頭部の取外し状態の下で操作可能に露出する状態に装着してあることを特徴とする浄水装置。
【請求項３】
原水である水道水を浄化フィルタに通して浄水とし吐水する浄水装置において、
前記浄化フィルタの交換時期を表すための表示を周方向に沿って施して成る表示リングを隠蔽状態で装着するとともに、該表示リングの外側に表示窓を設けて該表示窓を通じて内側の該表示リングの表示を表すようになし、該表示によって使用者に対し前記浄化フィルタの次回の交換時期を知らせるようになし、
該浄化フィルタは水栓における吐水ヘッドのフィルタ収容室内に内蔵してあって、該フィルタ収容室を内側に形成する該吐水ヘッドの筒体に前記表示リングが装着してある一方、該筒体に対する外嵌部に前記表示窓が設けてあり、
更に前記吐水ヘッドは、吐水ヘッドボデーと吐水口を有する頭部とを有していて、該吐水ヘッドボデーに対し該頭部が脱着可能となしてあって、該頭部の脱着により前記浄化フィルタを交換するようになしてあるとともに、
前記吐水ヘッドボデーの先端部に前記筒体の前記表示リングを装着する部分が構成してあって、該部分に前記表示リングが装着してある一方、前記頭部の側に前記外嵌部が設けてあって該外嵌部に前記表示窓が設けてあることを特徴とする浄水装置。
【発明の詳細な説明】
【０００１】
【発明の属する技術分野】
この発明は、原水である水道水を浄化フィルタに通し浄水として吐水する浄水装置に関し、詳しくは浄化フィルタの次回の交換時期を使用者に対して知らせるための手段に特徴を有するものに関する。
【０００２】
【従来の技術】
水道水中には微細な砂，赤錆等濁りの元となる成分や殺菌用の塩素に起因するカルキ臭とか黴臭とかの臭いの元となる成分が含まれている。
そこで従来、水道水を浄化フィルタに通して浄化し吐水する浄水装置が広く使用されている。
【０００３】
ところでこの浄水装置における浄化フィルタは使用し続けると浄化能力が次第に低下するため、これを一定期間ごとに交換する必要がある。
その交換時期を使用者に対して知らせるための手段として、従来以下のような方法が用いられていた。
第１は、浄化フィルタの表面にシールを貼って使用者がそのシールに次回の交換時期を書き込んでおくというものである。
【０００４】
また第２は、浄水装置に積算流量計を取り付けて浄水の積算流量を計測し、その積算流量が一定流量に達したときに浄化フィルタが寿命に達したものとして、交換時期が来たことを使用者に知らせるというものである。
【０００５】
また第３は、浄水装置に瞬間流量計を取り付けてこれにより浄水の瞬間流量を計測し、浄化フィルタの目詰りによって浄水の瞬間流量が一定以下に少なくなったとき浄化フィルタが寿命に達したものとして、交換時期が来たことを使用者に知らせるというものである。
【０００６】
また第４は、浄水装置に浄化フィルタの汚れを観察する窓を設けてその窓を通じて外部から使用者が浄化フィルタの汚れを目視観察し、その汚れの程度に応じて使用者の判断により浄化フィルタを交換するようになすといったものである。
【０００７】
【発明が解決しようとする課題】
しかしながら第１の方法、即ち浄化フィルタの表面にシールを貼ってそこに次回の交換時期を書き込む方法の場合、使用者にとってその書込みが面倒であるとともに、通常浄化フィルタ装着状態でそのシールが外部から見えなかったり或いは見難いといった問題がある。
【０００８】
一方第２の方法、即ち積算流量計を設置して浄水の積算流量を計測する方法の場合、その積算流量計のためのコストがかかる問題の外に積算流量計が大きく、従って浄水装置がそれだけ構造複雑化しまた大型化してしまうといった問題を生ずる。
また浄化フィルタを交換したときに積算流量計をリセット操作する必要があるといった面倒もある。
【０００９】
次に第３の方法、即ち瞬間流量計を設置して浄水の瞬間流量を計測する方法の場合、積算流量計を設置するのと同様に瞬間流量計のためのコストがかかり、また瞬間流量計によって浄水装置が構造複雑化，大型化する問題の外、この瞬間流量計による方法の場合には浄化フィルタの目詰りによる寿命については判断できるものの、その他の浄化機能の低下については明確に判断できないといった問題がある。
【００１０】
次に第４の方法、即ち浄化フィルタの汚れを窓を通じて外部から目視観察する方法の場合、その目視観察による汚れの程度と実際の浄化フィルタの浄化能力の低下との間に厳密な相関性があるとは言えず、浄化フィルタの交換時期を正確に判断できないといった問題がある。
【００１１】
【課題を解決するための手段】
本発明の浄水装置はこのような課題を解決するために案出されたものである。
而して請求項１のものは、原水である水道水を浄化フィルタに通して浄水とし吐水する浄水装置において、前記浄化フィルタの交換時期を表すための表示を周方向に沿って施して成る表示リングを隠蔽状態で装着するとともに、該表示リングの外側に表示窓を設けて該表示窓を通じて内側の該表示リングの表示を表すようになし、該表示によって使用者に対し前記浄化フィルタの次回の交換時期を知らせるようになし、該浄化フィルタは水栓における吐水ヘッドのフィルタ収容室内に内蔵してあって、該フィルタ収容室を内側に形成する該吐水ヘッドの筒体に前記表示リングが装着してある一方、該筒体に対する外嵌部に前記表示窓が設けてあり、更に前記吐水ヘッドは、吐水ヘッドボデーと吐水口を有する頭部とを有していて、該吐水ヘッドボデーに対し該頭部が脱着可能となしてあって、該頭部の脱着により前記浄化フィルタを交換するようになしてあるとともに、前記筒体の前記表示リングを装着する部分が該吐水ヘッドボデーの側に設けてあって、該部分に該表示リングが装着してある特徴とする。
【００１２】
請求項２のものは、原水である水道水を浄化フィルタに通して浄水とし吐水する浄水装置において、前記浄化フィルタの交換時期を表すための表示を周方向に沿って施して成る表示リングを隠蔽状態で装着するとともに、該表示リングの外側に表示窓を設けて該表示窓を通じて内側の該表示リングの表示を表すようになし、該表示によって使用者に対し前記浄化フィルタの次回の交換時期を知らせるようになし、該浄化フィルタは水栓における吐水ヘッドのフィルタ収容室内に内蔵してあって、該フィルタ収容室を内側に形成する該吐水ヘッドの筒体に前記表示リングが装着してある一方、該筒体に対する外嵌部に前記表示窓が設けてあり、更に前記吐水ヘッドは、吐水ヘッドボデーと吐水口を有する頭部とを有していて、該吐水ヘッドボデーに対し該頭部が脱着可能となしてあって、該頭部の脱着により前記浄化フィルタを交換するようになしてあるとともに、前記筒体の前記表示リングを装着する部分が該頭部と吐水ヘッドボデーとの脱着部に設けてあり、該部分に該表示リングが、該頭部の取外し状態の下で操作可能に露出する状態に装着してあることを特徴とする。
【００１３】
請求項３のものは、原水である水道水を浄化フィルタに通して浄水とし吐水する浄水装置において、前記浄化フィルタの交換時期を表すための表示を周方向に沿って施して成る表示リングを隠蔽状態で装着するとともに、該表示リングの外側に表示窓を設けて該表示窓を通じて内側の該表示リングの表示を表すようになし、該表示によって使用者に対し前記浄化フィルタの次回の交換時期を知らせるようになし、該浄化フィルタは水栓における吐水ヘッドのフィルタ収容室内に内蔵してあって、該フィルタ収容室を内側に形成する該吐水ヘッドの筒体に前記表示リングが装着してある一方、該筒体に対する外嵌部に前記表示窓が設けてあり、更に前記吐水ヘッドは、吐水ヘッドボデーと吐水口を有する頭部とを有していて、該吐水ヘッドボデーに対し該頭部が脱着可能となしてあって、該頭部の脱着により前記浄化フィルタを交換するようになしてあるとともに、前記吐水ヘッドボデーの先端部に前記筒体の前記表示リングを装着する部分が構成してあって、該部分に前記表示リングが装着してある一方、前記頭部の側に前記外嵌部が設けてあって該外嵌部に前記表示窓が設けてあることを特徴とする。
【００１４】
【作用及び発明の効果】
上記のように請求項１の発明は、表示リングを隠蔽状態で装着するとともに表示リングの外側に表示窓を設け、その表示窓を通じて表示リングの表示を外部に表して、その表示に基づいて使用者に対し浄化フィルタの次回の交換時期を知らせるようになしたもので、本発明によれば従来のように浄化フィルタにシールを貼り付けて、そこに次回の交換時期を書き込むといった面倒なことを行わなくても良いし、またその書き込んだ交換時期が外部から見えない或いは見難いといった問題も生じない。
【００１５】
また積算流量計や瞬間流量計を設置することなく次回の交換時期を知ることができるため、それら積算流量計や瞬間流量計のためにコストがかかるといった問題も生じず、またそれら流量計の設置によって浄水装置が大掛りとなったり大型化したりする問題も生じない。
【００１６】
また本発明では、浄化フィルタを一定期間ごとに交換するようになしているため、上記従来の第４の方法、即ち浄化フィルタの汚れの程度を観察して浄化フィルタの交換時期を判断するといったことを行わなくても良く、浄化フィルタの交換時期がばらついてしまうといった不都合もない。
【００１７】
尚、表示リング全体を外部に露出する状態に装着するといったことも考えられるが、この場合浄水装置の外観，美観がその表示リングの露出によって損なわれる恐れがある。
しかるに本発明ではその表示リングが隠蔽状態に装着されているため、表示リングそのものが浄水装置の外観，美観に悪影響を与えるといった問題を生じない。
【００１８】
更にまた本発明では、表示リングを外部に露出する状態で設けた場合のように、表示リングの周方向に沿って施した表示が全体的に外部から見えてしまい、その中から例えば指示部が指示している部分を探し出して交換時期を知るといった分り難さがなく、表示窓に位置する部分だけが外部に現れるため、特に意識しなくても直ちに次回の交換時期を使用者が認識できるといった利点もある。
【００１９】
ここで本発明では、表示リングに施した表示のうち浄化フィルタの今回の交換時期に該当する表示部分を表示窓の内側に位置させておき、使用者に対してその浄化フィルタの交換を行った月を知らせることによって次回の交換時期を分らせるようになすこともできるが、表示窓の内側に表示のうち浄化フィルタの次回の交換時期に該当する表示部分を直接位置させてこれを視認可能となしておくことが望ましい。
このようにしておけば、使用者は浄化フィルタの今回の交換月から計算をして次回の交換時期を判断するといったことを行わなくても、直接的に次回の交換時期を知ることができて好都合である。
尚本発明において上記表示窓のための開口を透光性の部材で閉鎖しておくことができる。
【００２０】
本発明ではまた、表示リングを固定的に設けておいて表示窓を回転可能となし、以って表示リングの表示をその表示窓を通じて外部に表すようになすといったことも可能であるが、表示窓については最も視認し易い適正な位置に固定的に設けておき、表示リングを回転方向に位置変更することで、その表示窓の内側に所定の表示部分、例えば今回若しくは次回の交換時期に該当する表示部分を位置させるようになすことができる。
【００２１】
更にこの場合において、表示リングを装着状態の下で回転可能となしておくことができる。
このようにしておけば、浄化フィルタ交換の際に表示リングの回転操作によって容易に所定の表示部分、例えば今回若しくは次回の交換時期に該当する表示部分を表示窓の内側に位置させることができる。
【００２２】
本発明においては、浄化フィルタの今回若しくは次回の交換時期に該当する表示部分を表示窓に合せるための指示部を設けておくことができる。
このようにしておけば、今回又は次回の交換時期に該当する表示部分と表示窓とを合せる作業を正確に且つ作業性良く簡単に行うことができる。
【００２３】
ここで指示部は、次回の交換時期に該当する表示部分をその指示部に合せることによってこれを表示窓の内側に位置させるものとなしておくこともできるが、浄化フィルタ交換の際にそのときの月日等に該当する表示部分をその指示部に合せておくことで、次回の交換時期に該当する表示部分を表示窓の内側に位置させるものとなしておくのが好都合である。
このようにしておけば、浄化フィルタ交換の際に次回の交換時期がいつであるのかといったことを考える必要が全くなく、その交換の際の現在の月日等に該当する表示部分を指示部に合せておくだけで、正確に次回の交換時期に該当する表示部分を表示窓の内側に位置させることができる。
【００２４】
本発明では、水栓における吐水ヘッドの内側にフィルタ収容室を形成してそこに浄化フィルタを内蔵させ、そしてそのフィルタ収容室を形成する吐水ヘッドの筒体に表示リングを装着するとともに、その筒体に対する外嵌部に表示窓を設けておく。
【００２５】
本発明では、吐水ヘッドを吐水ヘッドボデーとこれに脱着可能な頭部とを有する構成となし、その頭部の脱着により浄化フィルタを交換するようになして、上記筒体における表示リングを装着する部分をかかる吐水ヘッドボデーの側に設けておき、そこに上記表示リングを装着しておく。
一方請求項２の発明は、筒体における表示リングを装着する部分を頭部と吐水ヘッドボデーとの脱着部に設けておき、頭部の取外し状態の下で表示リングを操作可能に露出させる状態にそこに装着しておく。
また請求項３の発明は、吐水ヘッドボデーの先端部に表示リングを装着する部分を構成しておいて、そこに表示リングを装着する一方、頭部の側に上記外嵌部を設けて、そこに上記表示窓を設けておく。
【００２６】
【実施例】
次に本発明の実施例を図面に基づいて詳しく説明する。
図１において、１０はキッチン水栓等として用いられるシングルレバー式の水栓（混合水栓）で、１２は吐止水及び吐水の水量調節と温度調節とを行うための主弁を内蔵した水栓本体で、１４はその上部に回動可能に設けられたシングルレバー式の操作部である。
この水栓１０では、操作部１４を左右回動操作することで吐水の温度調節が行われ、また上下に回動操作することで吐止水及び吐水の水量調節が行われる。
【００２７】
１６は水栓本体１２から延び出した吐水管で、水栓本体１２に固定の吐水管本体１８と、その先端側の吐水ヘッド２０とを有している。
ここで吐水ヘッド２０は可撓性のホース２２とともに吐水管本体１８から引出可能且つ引出状態において三次元に位置移動可能とされている。
【００２８】
この吐水ヘッド２０の先端部には、後に詳述する原水ストレート吐水，原水シャワー吐水及び浄水ストレート吐水を切替操作するためのレバー式且つ回転式の切替操作部２４が外部に突き出す状態で設けられている。
【００２９】
上記吐水ヘッド２０は、図２に示しているように吐水ヘッドボデー（グリップ部）２６とその先端側の頭部２８とを有しており、その吐水ヘッドボデー２６の基端部にホース２２がシール部材３０によるシールの下に水密に接続固定されている。
ここでホース２２は、吐水管本体１８の中心部に形成されたホース挿通孔３２内部に軸方向に摺動可能に挿通されている。
【００３０】
この吐水管本体１８の先端部には差込凸部３４が設けられている。
一方吐水ヘッド２０の側には対応する差込凹部３６が形成されており、その差込凹部３６に差込凸部３４を差し込むようにして吐水ヘッド２０が吐水管本体１８の先端部に嵌められ且つ保持されるようになっている。
この例では吐水ヘッド２０が同時に浄水装置を成している。
【００３１】
この吐水ヘッド２０において、吐水ヘッドボデー２６は円筒状のカバー（外筒）３８と内筒４０との二重筒構造をなしていてその内側にフィルタ収容室４１を形成しており、その内部に原水（水道水）を通過させることによってこれを浄化する浄化フィルタ４２が収容されている。
ここでカバー３８は、図７に示しているように断面半円形状の上カバー３８Ａと下カバー３８Ｂとの２分割構成とされている。
【００３２】
浄化フィルタ４２は全体として円筒形状をなす部材であって、中心部の円筒形状の多孔質のセラミックフィルタ４４を有しており、これを支持体としてその外面に珪藻土４６の層が、更にその外面に活性炭４８の層が積層形成され、その外周面に不織布５０が巻き付けられている。
【００３３】
この浄化フィルタ４２は前後端に非通水性のエンドキャップ５２，５４を有している。
これらエンドキャップ５２，５４はそれぞれ透光性の部材にて構成されており、これらエンドキャップ５２，５４を通じて浄化フィルタ４２の端面、具体的にはセラミックフィルタ４４，珪藻土４６の層，活性炭４８の層，不織布５０の層の端面を外部から目視観察できるようになっている。
即ちこれらエンドキャップ５２，５４を通じて浄化フィルタ４２の各層の汚れ具合を目視観察できるようになっている。
【００３４】
これらエンドキャップ５２，５４の外周面には周方向に所定間隔でリブ５６が形成されており、それらリブ５６の外周端が内筒４０の内周面に当接するようになっている。
即ちこれらリブ５６によって浄化フィルタ４２の外周側、詳しくは浄化フィルタ４２の外周面と吐水ヘッドボデー２６における内筒４０の内周面との間に原水通路５８Ａが形成されている。
また浄化フィルタ４２におけるセラミックフィルタ４４の内側に浄水通路６０Ａが形成されている。
【００３５】
上記頭部２８には、図２及び図３に示しているようにその下面に、原水を整流束としてストレート吐水する原水ストレート吐水口６２，原水をシャワー水としてシャワー吐水する原水シャワー吐水口６４及び浄水を整流束としてストレート吐水する浄水ストレート吐水口６６がそれぞれ別々に設けられている。
またそれら各吐水口６２，６４，６６に連通して原水ストレート通路６８，原水シャワー通路７０及び浄水ストレート通路７２がそれぞれ形成されている。
【００３６】
上記浄化フィルタ４２の下流側であって頭部２８の内部には、原水ストレート吐水，原水シャワー吐水及び浄水ストレート吐水を切り替えるための切替弁７４（図４参照）が配設されている。
この切替弁７４はシリンダ式の弁であって、図４及び図６に示しているように段付形状且つ円筒状をなす弁体７６と、これに水密に外嵌する弁ケーシング７８とを有している。
【００３７】
弁体７６は軸方向に突き出す軸部８０を有しており、この軸部８０に対しレバー式且つ回転式の切替操作部２４の基部８２及びスペーサリング８４が一体回転状態に嵌合されている。
即ち、軸部８０の外周には雄スプライン部８６が形成される一方、切替操作部２４の基部８２及びスペーサリング８４の内周には雌スプライン部８８が形成されていて、それらが互いに噛み合う状態に軸部８０と基部８２及びスペーサリング８４とが嵌合され、それらスプライン部８６，８８の噛合いに基づいて軸部８０と基部８２及びスペーサリング８４とが一体回転するようになっている。
尚、軸部８０には雌ねじ孔９０が形成されていてそこに固定ねじ９２がねじ込まれ、以って軸部８０、即ち弁体７６と切替操作部２４とが軸方向に締結固定されている。
【００３８】
上記弁体７６には軸方向の異なった位置に大径部と小径部とが形成されており、その大径部によって原水弁部９４が、また小径部によって浄水弁部９６がそれぞれ構成されている。
原水弁部９４の内部空間，浄水弁部９６の内部空間はそれぞれ原水室９８，浄水室１００とされており、それらが仕切部材１０２にて軸方向に水密に仕切られている。
【００３９】
尚、原水弁部９４側の末端の開放部は閉鎖部材１０４にて閉鎖されている。
この閉鎖部材１０４には断面三角形状の仕切押え１０６が形成されており、その仕切押え１０６によって仕切部材１０２が軸方向に押えられている。
【００４０】
上記弁ケーシング７８には、図４及び図６に示しているように原水通路５８Ａからの原水を原水弁部９４の内側の原水室９８内部に流入させるための通水用の開口１０８と、浄水通路６０Ａからの浄水を浄水弁部９６の内側の浄水室１００内部に流入させるための通水用の開口１１０とが形成されている。
【００４１】
この弁ケーシング７８にはまた、円筒形状の差込嵌合部１１２が一体に形成されており、この差込嵌合部１１２が吐水ヘッドボデー２６における内筒４０の先端部内周面にＯリング１１４を介して水密に差込嵌合されている。
即ちこの差込嵌合部１１２を介して、弁ケーシング７８と吐水ヘッドボデー２６の内筒４０とが水密に接続されている。
【００４２】
１１６は弁ケーシング７８に形成された浄水を流入させるための通水用の開口１１０と、浄化フィルタ４２の中心部の浄水通路６０Ａとを連絡する連絡管であって、大径部１１８とこれより偏心した位置に形成された小径部１２０とを有しており、その大径部１１８の内部に、上記エンドキャップ５２に設けられた嵌合凸部１２２がＯリング１１４を介して水密に嵌合されている。
また小径部１２０が弁ケーシング７８に形成された嵌合凹部１２４内にＯリング１１４を介して水密に嵌合されている。
【００４３】
ここで連絡管１１６は、図４及び図６に示しているようにその内部に浄水通路６０Ａに続く浄水通路６０Ｂを形成しており、またその外側に、詳しくは差込嵌合部１１２との間に原水通路５８Ａに続く原水通路５８Ｂを形成している。
【００４４】
上記弁ケーシング７８には、弁体７６における原水弁部９４内部の原水室９８を上記原水ストレート通路６８に連通させるための原水ストレート吐水用開口１２６と、原水シャワー通路７０に連通させるための原水シャワー吐水用開口１２８とが半径方向に貫通する状態で設けられている。
また一方浄水弁部９６側においては、浄水室１００を浄水ストレート通路７２に連通させるための浄水用開口１３０が半径方向に貫通する状態で設けられている。
【００４５】
上記弁体７６における原水弁部９４は、原水ストレート弁部及び原水シャワー弁部を兼ねたものであって、図５にも示しているように弁ケーシング７８における開口１０８からの原水を原水室９８内に流入させるための通水用の開口１３２と、原水室９８を弁ケーシング７８における原水ストレート吐水用開口１２６又は原水シャワー吐水用開口１２８を経て、原水ストレート通路６８又は原水シャワー通路７０に連通させるための通水用の開口１３４とが半径方向に貫通する状態で設けられている。
ここで開口１３２は回転方向に長い長穴形状とされている。
【００４６】
また一方浄水弁部９６には、弁ケーシング７８における開口１１０からの浄水を浄水室１００内に流入させるための通水用の開口１３６と、浄水室１００を弁ケーシング７８における浄水用開口１３０を経て浄水ストレート通路７２に連通させるための通水用の開口１３８とが半径方向に貫通する状態で設けられている。
【００４７】
図２，図８，図９に示しているように、上記吐水ヘッドボデー２６における内筒４０はカバー３８に対してその先端部が軸方向に突き出しており、そこに環状の嵌込凹部１４０が形成されている。そしてそこに表示リング１４２が回転可能に嵌込装着されている。
この表示リング１４２の外周面には、周方向に沿って浄化フィルタ４２の交換時期を表すための表示１４４が月単位ごとに施されている。
【００４８】
内筒４０の先端部にはまた、図８及び図９に示しているように表示リング１４２の隣接位置において指示部１４６が設けてある。
この指示部１４６は、浄化フィルタ４２を交換したときの現在の月（今回の交換時期）、厳密には表示１４４における現在の月に該当する表示部分を合せるためのものである。
【００４９】
上記頭部２８は、図２及び図４に示しているようにこの内筒４０の先端部に対し外嵌状態に組み付けられるようになっており、その外嵌部１４７によって、表示リング１４２が内側に隠蔽されるようになっている。
この頭部２８における外嵌部１４７には、表示リング１４２の外側の位置において透光性の表示窓１４８が設けられている。
ここで透光性の表示窓１４８は、表示窓のための開口を透光性の部材で閉鎖して構成してある。
【００５０】
本例において、この表示窓１４８と上記指示部１４６とは周方向に異なった位置に設けられている。
詳しくは、浄化フィルタ４２を交換したときの現在の月を指示部１４６に合せたとき、その表示窓１４８の内側に表示１４４のうち、浄化フィルタ４２の次回の交換時期に該当する表示部分が現れるようにそれらの位置が定められている。
【００５１】
ここでは浄化フィルタ４２を交換してから２ヶ月後に次回の交換を行うように、即ち指示部１４６と表示窓１４８とが２ヶ月分離れた位置に来るようにそれらの位置が選定されている。
従って例えば３月の表示部分を指示部１４６に合せたとすると、次回の交換月である５月の表示部分が表示窓１４８に現れる。
【００５２】
本例では、頭部２８を内筒４０の先端部に対し軸方向に嵌め込んだ後回転操作することで、これを抜け止状態に固定するようになっている。
図９において１５０は抜け防止のためのロック部であって、差込嵌合部１１２の外周面に突出状に設けられている。
この差込嵌合部１１２の外周面にはまた、ロック部１５０に対し周方向に隔たった位置に戻り回転防止用の突起１５２が設けられている。
【００５３】
一方内筒４０の先端部内周面には、ロック部１５０を差し込むための差込溝１５４と、その差込溝１５４に続いて周方向に延びるロック溝１５６と、差込溝１５４に沿って軸方向に突設された戻り回転防止用の突起１５８とが設けられている。
【００５４】
この例の場合、ロック部１５０を差込溝１５４に合せるようにして頭部２８を内筒４０の先端部、即ち吐水ヘッドボデー２６に嵌め合せ且つこれを軸方向に差し込む。
その後これを図中右回転（時計回りに回転）させると、ロック部１５０がロック溝１５６に入り込んでロック溝１５６の周方向端に当接ないし当接可能な状態となる。この時点で頭部２８の更なる回転が阻止される。
このとき差込嵌合部１１２側の突起１５２が、内筒４０側の突起１５８を乗り越えて差込溝１５４内に落ち込み、ここにおいて頭部２８の逆方向の回転が阻止される。
【００５５】
即ちここにおいて頭部２８が吐水ヘッドボデー２６に対し右方向にもまた左方向にも回転阻止された状態となる。
また同時にロック部１５０とロック溝１５６との係合作用により、頭部２８が吐水口ヘッドボデー２６から抜け防止される。
尚、頭部２８を吐水ヘッドボデー２６から取り外すには以上とは逆の操作を行えば良い。
【００５６】
このように本例では頭部２８を吐水ヘッドボデー２６に対し簡単に脱着することができる。
またその頭部２８を脱着することによって、図８に示しているように浄化フィルタ４２を吐水ヘッドボデー２６から簡単に取り出し、更に新規のものを新たに装着することができる。即ち浄化フィルタ４２を簡単に交換することができる。
【００５７】
図１０及び図１１は本例の浄水装置付きの水栓１０の切替弁７４の作用を表している。
先ず図１０（Ｉ）及び図１１（Ｉ）は原水のストレート吐水状態を示している。
このときレバー式且つ回転式の切替操作部２４は最も上方に持ち上げられた状態にあり、また切替弁７４は、切替操作部２４の操作に基づいて図１０（Ｉ）に示しているように弁体７６における原水弁部９４の長穴形状の開口１３２を弁ケーシング７８の開口１０８に連通させ、また弁体７６における開口１３４を弁ケーシング７８の原水ストレート吐水用開口１２６に連通させた状態にある。
また浄水弁部９６は弁ケーシング７８の開口１１０を閉鎖した状態にある。
【００５８】
従ってこの状態の下では、吐水ヘッドボデー２６内部の浄化フィルタ４２外周側に形成された原水通路５８Ａからの原水が、切替弁７４を経て原水ストレート通路６８及び原水ストレート吐水口６２へと到り、そこから下向きに整流束としてストレート吐水される。
このとき当然ながら浄水ストレート吐水口６６からの浄水の吐水は行われない。
【００５９】
次にこの状態から切替操作部２４を図１０（II）の中間位置まで下向きに回転させると、図１０（II）及び図１１（II）に示しているように弁体７６における開口１３２と弁ケーシング７８の開口１０８との連通を保った状態で、弁体７６における開口１３４が弁ケーシング７８の原水シャワー吐水用開口１２８に一致する状態となり、ここにおいて原水通路５８Ａからの原水が、今度は原水シャワー通路７０及び原水シャワー吐水口６４に導かれて、そこより下向きにシャワー水として吐水される。
尚図１１（II）に示しているように、このときにも切替弁７４における弁体７６の浄水弁部９６は浄水の通路を遮断した状態にあり、従って浄水ストレート吐水口６６からの浄水の吐水は行われない。
【００６０】
この状態から図１０（III）及び図１１（III）に示しているように切替操作部２４を更に下向きに回転操作すると、ここにおいてそれらの図に示しているように切替弁７４により原水の通路が遮断される一方、浄水の通路が開放される。
【００６１】
このとき原水通路５８Ａ内の原水は、原水の通路が切替弁７４によって遮断された状態となるため給水圧によって浄化フィルタ４２を半径方向に突き抜け、その中心部に形成されている浄水通路６０Ａへと到る。
そしてこの浄化フィルタ４２を通過することによって原水の浄化が行われる。
【００６２】
而して浄化フィルタ４２を通過して浄化された後の浄水は、浄化フィルタ４２内部の浄水通路６０Ａから弁ケーシング７８の開口１１０及び弁体７６における開口１３６を通じて浄水室１００内に流入し、更にその浄水室１００から弁体７６の開口１３８及び弁ケーシング７８の浄水用開口１３０を経て浄水ストレート通路７２へと流出し、更にその先端の浄水ストレート吐水口６６から下向きに整流束としてストレート吐水される。
【００６３】
以上のように本例の場合、１つの切替弁７４の切替操作によって原水ストレート吐水，原水シャワー吐水及び浄水ストレート吐水が切り替えられ、それぞれが別々の吐水口６２，６４，６６より外部に吐水される。
【００６４】
本例では、表示窓１４８を通じて浄化フィルタ４２の次回の交換時期を視認可能となしていることから、従来のように浄化フィルタ４２にシールを貼り付けてそこに次回の交換時期を書き込むといった面倒なことを行わなくても良いし、またその書き込んだ交換時期が外部から見えない或いは見難いといった問題も生じない。
【００６５】
また積算流量計や瞬間流量計を設置することなく次回の交換時期を知ることができるため、それら積算流量計や瞬間流量計のためにコストがかかるといった問題も生じず、またそれら流量計の設置によって浄水装置が大掛り，大型化するといった問題も生じない。
【００６６】
更に本例では浄化フィルタ４２を一定期間ごとに交換するようになしているため、浄化フィルタ４２の汚れの程度を観察して浄化フィルタ４２の交換時期を判断するといったことを行わなくても良く、浄化フィルタ４２の交換時期がばらついてしまうといった不都合もない。
【００６７】
また本例では表示リング１４２を吐水ヘッド２０に隠蔽状態に装着しているため、その表示リング１４２を外部に直接現れる状態で装着した場合のように表示リング１４２そのものが浄水装置即ち水栓１０の外観，美観に悪影響を与えるといった問題を生じない。
また表示リング１４２を外部に直接現れる状態で設けた場合のように、表示リング１４２の周方向に沿って施した表示１４４が全体的に外部から見えてしまい、その中から例えば指示部が指示している部分を探し出して交換時期を知るといった分り難さがなく、表示窓１４８に位置する部分だけが外部に現れるため、特に意識しなくても直ちに次回の交換時期を使用者が認識できるといった利点がある。
【００６８】
また本例では表示窓１４８を固定的に設けておき、表示リング１４２を回転可能としているために、最も視認し易い適正な位置に表示窓１４８を常時位置させておくことができる。
【００６９】
また表示リング１４２は装着状態の下で回転可能となしてあるため、浄化フィルタ４２交換の際に表示リング１４２の回転操作によって容易に次回の交換時期に該当する表示部分を表示窓１４８の内側に位置させることができる。
【００７０】
また本例では浄化フィルタ４２交換の際に、そのときの月に該当する表示部分を指示部１４６に合せることで次回の交換時期に該当する表示部分を表示窓１４８の内側に位置させるようになしているため、浄化フィルタ４２交換の際に次回の交換時期がいつであるのかといったことを考える必要が全くなく、その交換の際の現在の月に該当する表示部分を指示部１４６に合せておくだけで、正確に次回の交換時期に該当する表示部分を表示窓１４８の内側に位置させることができる。
【００７１】
以上本発明の実施例を詳述したがこれはあくまで一例示である。
例えば上記実施例は吐水管本体１８から可撓性のホース２２とともに引出可能な吐水ヘッド２０に浄化フィルタ４２と切替弁７４及びその切替操作部２４とを設けた例であるが、本発明は通常のシャワーヘッドを備えた浴室の水栓やその他様々な形態の水栓に対して適用することが可能であるなど、その主旨を逸脱しない範囲において種々変更を加えた形態で構成可能である。
【図面の簡単な説明】
【図１】  本発明の一実施例である浄水装置を備えた水栓を外観状態で示す図である。
【図２】  図１の吐水ヘッドの内部構造及び表示リングを周辺部とともに示す図である。
【図３】  図２（Ａ）に示す構造を各部材に分解した状態で示す図である。
【図４】  図２（Ａ）の吐水ヘッドの先端部の内部構造を拡大して示す図である。
【図５】  図４に示す切替弁の作用説明図である。
【図６】  図４の要部を各部材に分解して示す図である。
【図７】  図２（Ａ）におけるカバーを上カバーと下カバーとに分離した状態で周辺部とともに示す図である。
【図８】  図２における表示リング及び表示窓を周辺部とともに示す図である。
【図９】  図１〜図４及び図８の頭部を吐水ヘッドボデーに対し脱着する機構を周辺部とともに示す図である。
【図１０】  同じ実施例の切替弁の作用を断面図で示す図である。
【図１１】  同じ実施例の切替弁の作用を切替操作部の操作状態との関連で示した図である。
【符号の説明】
１０  水栓
２０  吐水ヘッド
２６  吐水ヘッドボデー
２８  頭部
３８  カバー（外筒）
４０  内筒
４１  フィルタ収容室
４２  浄化フィルタ
６２  原水ストレート吐水口
６４  原水シャワー吐水口
６６  浄水ストレート吐水口
１４２  表示リング
１４４  表示
１４６  指示部
１４７  外嵌部
１４８  表示窓
【図１】
0003779560.tif 000002
【図２】
0003779560.tif 000003
【図３】
0003779560.tif 000004
【図４】
0003779560.tif 000005
【図５】
0003779560.tif 000006
【図６】
0003779560.tif 000007
【図７】
0003779560.tif 000008
【図８】
0003779560.tif 000009
【図９】
0003779560.tif 000010
【図１０】
0003779560.tif 000011
【図１１】
0003779560.tif 000012